【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
外部装置とネットワークを介して接続される通信装置であって、
中継装置の形成したネットワークを介して外部装置との接続を確立し、当該外部装置とのデータ通信を行う第１のデータ通信手段と、
前記通信装置が中継装置としてネットワークを形成し、形成したネットワークを介して外部装置との接続を確立し、当該外部装置とのデータ通信を行う第２のデータ通信手段と、
前記第１および第２のデータ通信手段で接続を確立した外部装置の情報を記憶する第１の記憶手段と、
前記第１のデータ通信手段により接続されたネットワークのパラメータを記憶すると共に、前記第２のデータ通信手段により接続されたネットワークのパラメータを前記第１の記憶手段に記憶された外部装置の情報と関連付けて記憶する第２の記憶手段と、
前記第１のデータ通信手段により外部装置との接続を確立する場合であって、前記第１のデータ通信手段により接続されたネットワークのパラメータが記憶されている場合は、前記第２の記憶手段に記憶されているネットワークのパラメータのいずれかを使用して前記中継装置の形成したネットワークに参加するよう制御し、
前記第２のデータ通信手段により、前記第２の記憶手段に前記ネットワークのパラメータと関連付けて記憶された外部装置と接続を確立する場合は、当該外部装置と関連付けて記憶されたネットワークのパラメータを利用し、前記通信装置が中継装置としてネットワークを形成するよう制御する制御手段と、を有することを特徴とする通信装置。
【請求項２】
前記第２の記憶手段は、前記第１のデータ通信手段により接続されたネットワークのパラメータのうち、前記第２のデータ通信手段により接続されたネットワークのパラメータと異なるものを記憶することを特徴とする請求項１に記載の通信装置。
【請求項３】
前記第２の記憶手段は、前記第１のデータ通信手段により接続されたネットワークのパラメータのうち、前記第２のデータ通信手段により接続されたネットワークのパラメータと共通のものについては記憶しないことを特徴とする請求項１に記載の通信装置。
【請求項４】
前記第１の記憶手段に記憶された外部装置の情報が削除された場合、前記第２の記憶手段に関連付けられている前記第２のデータ通信手段により接続されたネットワークのパラメータを削除する削除手段を更に有することを特徴とする請求項１に記載の通信装置。
【請求項５】
前記第１のデータ通信手段による接続を確立する際に、所定の中継装置が検出できない場合、前記制御手段は前記第２のデータ通信手段によるネットワークを形成するよう制御することを特徴とする請求項１に記載の通信装置。
【請求項６】
前記第１の記憶手段に記憶された前記外部装置の情報に基づき、接続する外部装置を指定する指定手段を更に有することを特徴とする請求項１乃至５のいずれか１項に記載の通信装置。
【請求項７】
前記指定手段による指定の後、前記第２の記憶手段に記憶されたネットワークのパラメータに対応するネットワークを検索する検索手段を更に有し、
前記検索手段により、前記第２の記憶手段に記憶されたネットワークのパラメータに対応するネットワークが検索された場合、前記制御手段は前記通信装置が当該検索されたネットワークに参加するよう制御することを特徴とする請求項６に記載の通信装置。
【請求項８】
前記検索手段により、前記第２の記憶手段に記憶されたネットワークのパラメータに対応するネットワークが検索されなかった場合、前記制御手段は前記通信装置が中継装置となりネットワークを形成するよう制御することを特徴とする請求項６または７に記載の通信装置。
【請求項９】
前記ネットワークは、無線ＬＡＮにおけるネットワークであることを特徴とする請求項１乃至８のいずれか１項に記載の通信装置。
【請求項１０】
前記中継装置は、無線ＬＡＮにおけるアクセスポイントであることを特徴とする請求項１乃至９のいずれか１項に記載の通信装置。
【請求項１１】
前記通信装置が中継装置としてネットワークを形成する場合、ネットワークの形成ごとに異なるネットワークの識別情報または認証情報を用いることを特徴とする請求項１乃至１０のいずれか１項に記載の通信装置。
【請求項１２】
中継装置の形成したネットワークを介して外部装置との接続を確立し、当該外部装置とのデータ通信を行う第１のデータ通信手段と、
前記通信装置が中継装置としてネットワークを形成し、形成したネットワークを介して外部装置との接続を確立し、当該外部装置とのデータ通信を行う第２のデータ通信手段と、
前記第１および第２のデータ通信手段で接続を確立した外部装置の情報を記憶する第１の記憶手段と、
前記第１のデータ通信手段により接続されたネットワークのパラメータを記憶すると共に、前記第２のデータ通信手段により接続されたネットワークのパラメータを前記第１の記憶手段に記憶された外部装置の情報と関連付けて記憶する第２の記憶手段と、を有する通信装置の制御方法であって、
前記第１のデータ通信手段により外部装置との接続を確立する場合であって、前記第１のデータ通信手段により接続されたネットワークのパラメータが記憶されている場合は、前記第２の記憶手段に記憶されているネットワークのパラメータのいずれかを使用して前記中継装置の形成したネットワークに参加するよう制御し、
前記第２のデータ通信手段により、前記第２の記憶手段に前記ネットワークのパラメータと関連付けて記憶された外部装置と接続を確立する場合は、当該外部装置と関連付けて記憶されたネットワークのパラメータを利用し、前記通信装置が中継装置としてネットワークを形成するよう制御することを特徴とする通信装置の制御方法。
【請求項１３】
コンピュータを、請求項１乃至１１のいずれか１項に記載された通信装置の各手段として機能させるためのプログラム。
【請求項１４】
コンピュータを、請求項１乃至１１のいずれか１項に記載された通信装置の各手段として機能させるためのプログラムを格納した記憶媒体。
【手続補正２】
【補正対象書類名】明細書
【補正対象項目名】発明の名称
【補正方法】変更
【補正の内容】
【発明の名称】通信装置およびその制御方法、プログラム並びに記憶媒体
【手続補正３】
【補正対象書類名】明細書
【補正対象項目名】０００８
【補正方法】変更
【補正の内容】
【０００８】
本発明に係る通信装置は、外部装置とネットワークを介して接続される通信装置であって、中継装置の形成したネットワークを介して外部装置との接続を確立し、当該外部装置とのデータ通信を行う第１のデータ通信手段と、前記通信装置が中継装置としてネットワークを形成し、形成したネットワークを介して外部装置との接続を確立し、当該外部装置とのデータ通信を行う第２のデータ通信手段と、前記第１および第２のデータ通信手段で接続を確立した外部装置の情報を記憶する第１の記憶手段と、前記第１のデータ通信手段により接続されたネットワークのパラメータを記憶すると共に、前記第２のデータ通信手段により接続されたネットワークのパラメータを前記第１の記憶手段に記憶された外部装置の情報と関連付けて記憶する第２の記憶手段と、前記第１のデータ通信手段により外部装置との接続を確立する場合であって、前記第１のデータ通信手段により接続されたネットワークのパラメータが記憶されている場合は、前記第２の記憶手段に記憶されているネットワークのパラメータのいずれかを使用して前記中継装置の形成したネットワークに参加するよう制御し、前記第２のデータ通信手段により、前記第２の記憶手段に前記ネットワークのパラメータと関連付けて記憶された外部装置と接続を確立する場合は、当該外部装置と関連付けて記憶されたネットワークのパラメータを利用し、前記通信装置が中継装置としてネットワークを形成するよう制御する制御手段と、を有する。
【手続補正４】
【補正対象書類名】明細書
【補正対象項目名】００３２
【補正方法】変更
【補正の内容】
【００３２】
接続部２１１は、外部装置と接続するためのインターフェースである。本実施形態の携帯電話２００は、接続部２１１を介して、外部装置とデータのやりとりを行うことができる。なお、本実施形態では、接続部２１１は外部装置と無線ＬＡＮで通信するためのインターフェースを含む。制御部２０１は、接続部２１１を制御することで外部装置との無線通信を実現する。なお、本実施形態における携帯電話２００は、少なくともインフラストラクチャモードにおけるスレーブ装置として動作することが可能であり、周辺のＡＰが形成するネットワークに参加することが可能である。
【手続補正５】
【補正対象書類名】図面
【補正対象項目名】図５Ｂ
【補正方法】変更
【補正の内容】
【図５Ｂ】
2014131223.tif 000001